(57)【特許請求の範囲】
【請求項１】
殻体によって覆われており線材を前記殻体外へ送る駆動機構と、前記線材を切断する線切断機構と、前記殻体内で回転可能に前記線材を収容する線保存ホイールと、を備える線材保存供給器であって、
前記殻体は、上殻と下殻とを含み、前記上殻と前記下殻とが一体に係合された対応構造をなし、
前記下殻は、
前記線切断機構を収容する凹み槽と、
前記線保存ホイールから前記線材が進入する線入り槽と、
前記線入り槽と直列に連通するとともに側部の隙間を介して前記凹み槽と連通する線出し槽と、
位置決め部と、を含み、
前記位置決め部は、位置決め孔と、前記位置決め孔を取り囲む逆方向歯と、を含み、
前記駆動機構は、
外部からの押圧及び解除により押圧方向に沿って往復運動するように支持された押えロッドと、
前記位置決め孔に取り付けられた主軸と、
前記主軸の周りにそれぞれ回転可能に配置された、
第２のスプリングが当接し前記押えロッドと噛合う主動ホイールと、
前記主動ホイールと線材送りの順方向において噛合う回転ホイールと、
外周部において前記線材を送る主動ローラホイールと、
前記回転ホイール及び前記主動ローラホイールと同期して回転し、線材送りの逆方向への回転が前記逆方向歯に係止されるように構成された逆転防止装置と、を含み、
前記線切断機構は、一部が前記殻体から押圧可能に露出した刃保持部と、前記刃保持部に保持されており前記隙間を挿通して前記線材を切断する刃具と、を含む、
ことを特徴とする線材保存供給器。
【請求項２】
前記駆動機構は、押圧解除時に前記押えロッドを復帰させる第１のスプリングをさらに含み、
前記下殻は、凸起した矩形部と、凸起部と、をさらに含み、
前記押えロッドは、当接部を含み、
前記矩形部は、前記押えロッドの前記当接部及び前記第１のスプリングを係止できる凹み部を備え、
前記凸起部は、頂端に位置し前記押えロッドを支持する凹み口を含み、
前記凹み部の出口と前記凹み口とは、それぞれ前記押えロッドの運動を前記押圧方向に沿った方向に規制する溝である、
ことを特徴とする請求項１に記載の線材保存供給器。
【請求項３】
前記刃保持部は、押しボタンと、直線棒と、を含み、
前記直線棒は、前記押しボタンと対向する一端に把持部を備え、
前記凹み槽には、長い側壁の内側に沿って、切断時に前記直線棒を係止する引っ掛かり部と、前記把持部を収容して固定する固定部と、が設けられている、
ことを特徴とする請求項１に記載の線材保存供給器。
【請求項４】
前記押えロッドは、押えキャップと、前記押えキャップに接続された主棒部と、前記押えキャップに近い箇所に位置する当接部と、を含み、更に前記主棒部の前記押えキャップから離れた中部の一側に設けられた第１の鋸歯部を含み、
前記下殻は、凸起した矩形部を含み、
前記矩形部は、前記押えロッドの前記当接部を係止して所定の範囲内で運動させることができる凹み部を備える、
ことを特徴とする請求項１に記載の線材保存供給器。
【請求項５】
前記主動ホイールは、外周部に設けられ前記押えロッドと噛合う第２の鋸歯部と、底面に設けられた第３の鋸歯部と、を含み、
前記回転ホイールは、表面に設けられた第４の鋸歯部を含み、
前記第３の鋸歯部は、前記第４の鋸歯部と噛合う、
ことを特徴とする請求項１に記載の線材保存供給器。
【請求項６】
前記回転ホイールと前記逆転防止装置とは前記主動ローラホイールを挟み、
前記回転ホイールは、底面に設けられた回転軸を含み、
前記回転軸は、凹点を含み、
前記逆転防止装置は、前記凹点と係合する凸点と、前記逆方向歯に係止される阻止部と、を含む、
ことを特徴とする請求項１に記載の線材保存供給器。
【請求項７】
前記刃保持部は、押しボタンと、直線棒と、を含み、
前記直線棒は、前記押しボタンと対向する一端に把持部を備え、
前記刃具は、前記押しボタンの内側に取り付けられ、
前記押しボタンは、前記凹み槽に置かれている、
ことを特徴とする請求項１に記載の線材保存供給器。
【請求項８】
前記線出し槽は、入口から出口に向かって開口面積が広くなり、
前記線入り槽は、入口から出口に向かって開口面積が狭くなり、
前記線材を切断する前記刃具の切断位置は、前記線出し槽の出口の開口面積が広くなり始める位置にある、
ことを特徴とする請求項１に記載の線材保存供給器。
【発明の詳細な説明】
【技術分野】
【０００１】
本発明は、線材を保存し供給するための器具に関し、特に、人間工学に適合している、即ち、片手でより自然に操作することができ、作業に要する力の強度がより小さい、長時間にわたって操作しても疲労が生じにくい、線材保存供給器に関する。
【背景技術】
【０００２】
医療用の線材は、従来から、全く見られなかったわけではない。しかし、線材の保存、便利な使用、汚染の回避、線材の取り出しや、使用により消費される線材を統合的に管理する器具は、市場には、まだ出現していない。
【０００３】
特許文献１〜３は、本発明に近い発明を開示する特許文献である。しかしながら、これらの特許文献に記載された発明では、以下のような技術的課題が克服されていない。
（１）両手で操作するようになっている。このため、作業に要する時間が長くなるので、臨床操作者の注意力を分散させてしまう。
（２）線材を引き出すたびにその長さが異なる。線材を手動で引き出した後、線材の長さを計量化するための基準がない。
（３）人間工学的な観点から、長時間にわたって操作すると、作業による疲労が発生しやすい。
（４）線材の取り出しや、線材を切断する操作を行うたびに、線材が外に露出している状態になる。このため、線材の汚染を確実に防止することができない。
【０００４】
本発明者は、以上のような技術的課題に対して、鋭意研究したところ、上述した技術的課題を解決可能とする線材保存供給器を見出した。
【先行技術文献】
【特許文献】
【０００５】
【特許文献１】米国特許第５２８０７４１号明細書
【特許文献２】米国特許第４２３２６８８号明細書
【特許文献３】米国特許第Ｄ３９５９５０号
【発明の概要】
【発明が解決しようとする課題】
【０００６】
上述した技術的課題を解決するために、本発明は、片手での操作に適合し、作業に要する力の強度を低減し、長時間の操作による疲労を回避することができる線材保存供給器を提供することを主な目的とする。
【０００７】
本発明は、線材が外に露出することを回避でき、即ち、外部からの汚染を防止することができる線材保存供給器を提供することを更に一つの主な目的とする。
【０００８】
本発明は、線材を便利に取り出し、切断し、消費する線材を計量化することができ、線材の浪費を防止することができる線材保存供給器を提供することを他の一つの主な目的とする。
【課題を解決するための手段】
【０００９】
本発明の目的は以下のような手段によって実現される。
【００１０】
殻体によって覆われた駆動機構と、線切断機構と、線保存ホイールとからなる線材保存供給器であって、
前記殻体は上殻と下殻とを含み、前記上殻と前記下殻は一体に係合された対応構造をなし、矩形部と、凸起部と、位置決め部と、位置決め柱と、凹み槽に連通された線入り槽と、線出し槽とを含み、
前記駆動機構は、押えロッドと、主軸によって積み重ねるように一体に接続された、第２のスプリングが当接する主動ホイールと、この主動ホイールと噛合う回転ホイールと、この回転ホイール及び逆転防止装置が挟んだ主動ローラホイールとを含み、
前記線切断機構は、前記殻体のマッチング構造によって取り付けられ、刃保持部と刃具とを含み、
前記線保存ホイールは、位置決め柱によって位置決めされ、中心孔と線保存槽とを含む線材保存供給器である。
【００１１】
前記矩形部は、前記押えロッドの当接部及び第１のスプリングを係止できる凹み部を備え、この凹み部の出口と前記凸起部の頂端の凹み口とが二点一線の態様となっている。
【００１２】
前記位置決め部は、主軸を固定する位置決め孔と、前記逆転防止装置とマッチングする逆方向歯とを含む。
【００１３】
前記凹み槽には、長い側壁方向の内側に沿って、この線切断機構装置の直線棒と、その把持部とを干渉的に固定する引っ掛かり部と、固定部と、が設けられている。
【００１４】
前記凹み槽と前記線出し槽とは、同一の壁を共有壁として共有し、この共有壁に隙間が設けられ、この隙間と前記凹み槽及び前記線出し槽とが貫通され、この線出し槽が前記線入り槽に接続されて貫通されている。
【００１５】
前記押えロッドは押えキャップに接続された主棒部及び当接部を含み、更に第１の鋸歯部を含む。
【００１６】
前記主動ホイールは第１の鋸歯部とマッチングする第２の鋸歯部と、底面に設けられた、前記回転ホイールの表面の第４の鋸歯部と噛合う第３の鋸歯部とを含む。
【００１７】
前記回転ホイールと前記逆転防止装置は、前記主動ローラホイールを挟み、その回転ホイールの底面に設けられた回転軸が中心孔を通してその回転軸に設けられた凹点によって前記逆転防止装置の凸点に干渉して、前記主動ローラホイール、前記回転ホイール及び前記逆転防止装置を一体に固定する。
【００１８】
前記逆転防止装置は、前記凸点と、前記下殻の前記逆方向歯とマッチングする阻止部とを含む。
【００１９】
前記刃保持部は、直線棒に接続された押しボタンと把持部とを含み、刃具はこの押しボタンの内側に取り付けられ、この押しボタンは凹み槽に置かれている。
【発明の効果】
【００２０】
上記の発明では、従来の技術に比べると、以下のような有用な効果を有する。
（１）人間工学により適合している。人の手でより自然に操作することができる。そして、作業に要する力の強度が小さい。さらに、疲労が発生しにくい。
（２）硬度が異なり、直径の大きさが異なる線材にも適用することが可能である。
（３）線材を切断し押えることは、内部に設けられた逆円錐型空間で行われている。このため、線材が詰まりにくくなる。さらに、容器内の線材は外部から離れている。このため、無菌状態を保持することができる。
（４）片手で線材の切断や取り出しを完了するように操作することができる。このため、臨床操作者の注意力を分散させない。これによって、不具合の発生を回避できる。
（５）取り出す線材の長さを正確に計量化することができる。このため、線材の浪費を回避することができる。
【図面の簡単な説明】
【００２１】
【図１】本発明の好ましい実施例の斜視図である。
【図２】本発明の好ましい実施例の分解図である。
【図３】図１における駆動機構、線切断機構及び線保存ホイールの分解図である。
【図４】図３における回転ホイール、主動ローラホイール及び逆転防止装置の他の視点からの斜視図である。
【図５】本発明の好ましい実施例の組立斜視図である。
【発明を実施するための形態】
【００２２】
以下、明細書の添付図面を参照しながら本発明を更に説明するが、本発明はこれに限定されたものではない。
【００２３】
図１を参照すると共に、図２〜図５を組み合わせて参照する。線材保存供給器１００は、殻体１０によって覆われた駆動機構２０と、線切断機構３０と、線保存ホイール４０とからなる。殻体１０は、上殻１１と、下殻１２とを含む。
【００２４】
図２に示すように、上殻１１と、下殻１２とは一体に係合された対応構造をなす。これによって、本発明の実施例では、下殻１２のみを例として詳しく説明する。下殻１２は、凸起した矩形部１２１と、凸起部１２２と、主軸２２を取り付ける位置決め部１２３と、線切断機構３０を収容する凹み槽１２４と、線保存ホイール４０の回転を限定する位置決め柱１２５とを含む。
【００２５】
矩形部１２１は側角縁に近く、押えロッド２１の当接部２１３を係止してその中を上下に運動させることができる凹み部１２１１を備える。凹み部１２１１の出口１２１２と、凸起部１２２の頂端の凹み口１２２１とは、二点一線の態様となっている。これらの構造は、上殻１１と、下殻１２とが係合することによって、主棒部２１２を上下のみに運動できるようにその中に限定するために設計されたものである。
【００２６】
位置決め部１２３は、上殻１１と、下殻１２との中央において凹み槽１２４に近く、主軸２２を固定する位置決め孔１２３１と、逆転防止装置２６の裏面に設けられた阻止部２６２とを含む。
【００２７】
凹み槽１２４は、矩形部１２１に対向する側角縁に設けられている。凹み槽１２４には、長い側壁に沿って引っ掛かり部１２４１と固定部１２４２とが設けられている。凹み槽１２４、引っ掛かり部１２４１及び固定部１２４２は、線切断機構３０を収容するマッチング構造である。凹み槽１２４と、線出し槽１２４３とは、同一の壁を共有壁として、共有する。この共有壁の中央に隙間１２４４が設けられる。隙間１２４４と、凹み槽１２４及び線出し槽１２４３が貫通される。線出し槽１２４３は、線入り槽１２４５とも貫通される。引っ掛かり部１２４１と固定部１２４２との間に近い一側には、従動ローラホイール２８が取り付けられる位置決め柱１２４６が設けられている。
【００２８】
図３を参照すると共に、図４を組み合わせて参照する。駆動機構２０は、押えロッド２１と、主軸２２によって積み重なるように一体に接続された主動ホイール２３と、回転ホイール２４と、主動ローラホイール２５と、第２のスプリング２９が当接する逆転防止装置２６と、を含む。
【００２９】
押えロッド２１は、押えキャップ２１１に接続された主棒部２１２を含む。主棒部２１２には、押えキャップ２１１に近い箇所に当接部２１３が設けられており、さらに、押えキャップ２１１から離れた中部の一側に第１の鋸歯部２１４が設けられている。ここで、当接部２１３は、第１のスプリング２７とマッチングする。第１の鋸歯部２１４は、主動ホイール２３を駆動できる。
【００３０】
主動ホイール２３は、円形の周辺に設けられた第２の鋸歯部２３１と、底面に設けられた第３の鋸歯部（不図示）とを含む。ここで、第２の鋸歯部２３１は、第１の鋸歯部２１４とマッチングする。そして、第３の鋸歯部（不図示）は、回転ホイール２４の表面の第４の鋸歯部２４１と噛合う。
【００３１】
主動ローラホイール２５は、回転ホイール２４の底面と一体に結合された回転軸２４２と同軸で同期して運動する。これによって、主動ローラホイール２５は、従動ローラホイール２８と共に、線保存ホイール４０にある線材（不図示）を挟んで順序よく線入り槽１２４５から線出し槽１２４３へ押し出す。
【００３２】
逆転防止装置２６は、回転ホイール２４と共に主動ローラホイール２５を挟む。逆転防止装置２６は、回転軸２４２に設けられた凹点２４２１に係合する凸点２６１と、上述した逆方向歯１２３２とマッチングする阻止部２６２とを含む。逆方向歯１２３２と阻止部２６２とは、第２のスプリング２９との共同作用によって、主動ローラホイール２５が時計方向のみに回転でき、逆方向には回転できないようにする。
【００３３】
図１を参照すると共に、図３を組み合わせて参照する。線切断機構３０は、殻体１０のマッチング構造によって取り付けられる。線切断機構３０は、刃保持部３１と刃具３２とを含む。
【００３４】
刃保持部３１は、押しボタン３１１と、直線棒３１２とを含む。直線棒３１２は、押しボタン３１１と対向する一端に把持部３１２１を備える。線切断機構３０では、刃保持部３１の押しボタン３１１が凹み槽１２４に置かれており、且つ、直線棒３１２及びその把持部３１２１によって下殻１２の引っ掛かり部１２４１及び固定部１２４２に干渉的に固定されている。刃具３２は、この押しボタン３１１の内側に取り付けられる。組立時には、押しボタン３１１が凹み槽１２４に置かれている。押しボタン３１１に圧力を施す時に、刃具３２は、隙間１２４４を通して線出し槽１２４３を通過した線材（不図示）を切断することができる。このようにして、線材を切断する効果を達成することができる。
【００３５】
図１を参照すると共に、図２を組み合わせて参照する。線保存ホイール４０は、殻体１０の位置決め柱１２５によって位置決めされており、中心孔４１と線保存槽４２とを含む。
【００３６】
以上によって、線材保存供給器１００の発明は完成される。
【００３７】
本発明が組み立てられた後の、操作の流れは以下のとおりである。
【００３８】
押えロッド２１を押えると、この押えロッド２１の第１の鋸歯部２１４が押え方向に沿って移動する。押えロッド２１を押えることを停止すると、第１のスプリング２７の弾力作用によって初期位置に回復する。
【００３９】
押えロッド２１の第１の鋸歯部２１４は、機械的結合によって主動ホイール２３を駆動して特定の角度で回転させる。
【００４０】
主動ホイール２３は、押えキャップ２１１の圧力で順方向に回転する時には、回転ホイール２４を駆動して同期して回転させる。主動ホイール２３が、逆方向に回転する時には、以下のように動作する。回転ホイール２４の第４の鋸歯部２４１と、主動ホイール２３の第３の鋸歯部（不図示）が一方向に回転して噛合っている。これにより、逆転防止装置２６の阻止部２６２と、下殻１２の逆方向歯１２３２とが共同で作用して、回転ホイール２４を主動ホイール２３に伴って逆方向に回転しないようにする。即ち、回転ホイール２４を一方向に回転するように静止させ、押えロッド２１を押すたびに、回転ホイール２４と逆転防止装置２６が挟んだ主動ローラホイール２５は時計方向に特定の角度で回転する。
【００４１】
主動ホイール２３が逆方向に回転する時に、上述した阻止部２６２が下殻１２の逆方向歯１２３２に係止される。これと同時に、阻止部２６２は、第２のスプリング２９の弾性機能をも用いて、回転ホイール２４と、主動ローラホイール２５とを、逆方向に回転しないようにする。
【００４２】
線材（不図示）は、主動ローラホイール２５と従動ローラホイール２８の間に挟まれている。主動ローラホイール２５が回転することによって従動ローラホイール２８を駆動する。これによって、主動ローラホイール２５及び従動ローラホイール２８が、線保存ホイール４０にある線材（不図示）を押えて、それを設定した線入り槽１２４５に引っ張って線出し槽１２４３から送り出す。主動ローラホイール２５は、特定の角度だけ回転する。このため、引っ張った線材（不図示）の長さは特定の長さに基づいたものでもある。これによって、線材を正確に切断して、それ取り出すことができる。このようにすることで、線材を節約する目的を達成することができる。
【００４３】
本発明の実施例では、線入り槽１２４５、線出し槽１２４３は、いずれも線材（不図示）をスムーズに、送り込み、かつ、送り出すことを保証できるようにラッパ口状に設計されている。
【００４４】
上記の取り出す線材が線出し槽１２４３の位置に到着した時に、人差し指で刃保持部３１を押さえる。そして、刃保持部３１と一体に取り付けられた刃具３２によって、送り出した線材（不図示）を切断する。このようにすることで、本発明の実施例の作業過程を完了することができる。
【００４５】
以上のような、線材保存供給器１００の発明は、本発明の好ましい実施例に過ぎず、本発明の実施範囲を限定するものではない。本発明の特許請求の範囲に記載の技術的特徴に基づいて行った同等の効果の変化又は修飾は、すべて本発明の技術的手段の保護範囲内に含まれる。
【図１】
0005989761.tif 000002
【図２】
0005989761.tif 000003
【図３】
0005989761.tif 000004
【図４】
0005989761.tif 000005
【図５】
0005989761.tif 000006